(57)【要約】【課題】非接触の磁気作用で釣糸放出状態にある切換機構の誤復帰を防止した魚釣用リ−ルを提供すること。【解決手段】リ−ル本体１の前部１ａ内の軸受１０で筒状の回転軸１１が軸承されてロ−タが取り付けられ、リ−ル本体１の前部１ａより後側に円盤状の鍔部１ｂが形成されて鍔部１ｂの前面には環状磁性体２１が固定されている。ロ−タの一方の支持ア−ムの中には釣糸巻取り位置と釣糸放出位置の選択で揺動する作動杆と筒体４が収容されて支持ア−ムの外部に突出されている。支持ア−ムの後面にはベ−ル作動体５がビス３０で回動自在に取り付けられて筒体４の後端部４ｃで回動され、釣糸放出状態でベ−ル作動体５の突出部５ｃと磁石３１が環状磁性体２１に対向する非接触の磁気作用領域にあって磁力を受ける。【選択図】　　　　図９
2004016177.tif 000002
【特許請求の範囲】
【請求項１】
リ−ル本体に設けたスプ−ルに釣糸を巻回する釣糸巻取り状態とスプ−ルから釣糸を放出する釣糸放出状態の両状態に切り換える切換機構を備えた魚釣用リ−ルにおいて、前記切換機構で釣糸を釣糸巻取り状態から釣糸放出状態に切り換えた時に作動する作動体と該作動体と対向する部材との間に非接触の磁気作用領域を設けて前記切換機構の誤復帰を防止したことを特徴とする魚釣用リ−ル。
【請求項２】
前記作動体が、ロ−タの支持ア−ムに設けられ、ベ−ルを釣糸巻取り状態から釣糸放出状態への反転操作に連動してリ−ル本体側の磁気作用領域に移動するベ−ル作動体であることを特徴とする請求項１記載の魚釣用リ−ル。
【請求項３】
前記作動体が、クラッチ機構の釣糸巻取り状態から釣糸放出状態への反転操作に連動してリ−ル本体側の磁気作用領域に移動するクラッチ機構のクラッチ作動体であることを特徴とする請求項１記載の魚釣用リ−ル。
【発明の詳細な説明】
【０００１】
【発明の属する技術分野】
本発明は、釣糸巻取り状態から釣糸放出状態に切換可能な切換機構を備えた魚釣用リ−ルの改良に関する。
【０００２】
【従来の技術】
従来、魚釣用リ−ルには、ハンドル回転操作で連動回転する釣糸案内部を有するロ−タを介してスプ−ルに釣糸を巻回するロ−タ回転タイプ（オ−プンフェ−ス型、クロ−ズドフェ−ス型）と、ハンドル回転操作で連動回転するスプ−ルに直接、釣糸を巻回するスプ−ル回転タイプ（両軸、片軸）に大別される。
上記魚釣用リ−ルの釣糸巻取り状態から釣糸放出状態への切り換えは、
ロ−タ回転タイプは、ロ−タに反転自在に取り付けられるベ−ルの反転操作で、又、スプ−ル回転タイプは、スプ−ルと巻取駆動機構の動力伝達状態をＯＮ／ＯＦＦするクラッチ機構の操作で行われている。
実釣において、釣糸放出状態からの釣糸（仕掛け）放出操作時の振り下ろす勢いやロ−タ、ハンドル等が巻き取り方向に回転して自動復帰機構（ハンドル回転操作によるベ−ル復帰、クラッチ復帰）を釣糸放出操作時に誤って作動させてしまい、釣糸を切断してしまう不具合が発生する。
【０００３】
そこで、このような釣糸放出操作時の誤復帰を防止するために、ロ−タ回転タイプにおいて、釣糸放出状態時にロ−タの回転方向をロックしたり、ブレ−キを掛けるようにしたものが、実開平３−１６８６７号公報、特開平１１−６９９３１号公報等で、又、スプ−ル回転タイプでは特開平７−１３５８７７号公報等で知られている。
しかしながら、前記実開平３−１６８６７号公報の構成はロ−タをロックする構成のため、ハンドル回転操作で釣糸放出状態から釣糸巻取り状態に自動復帰できない。
又、他のものは、ハンドルに連動回転する回転体（ロ−タ、ハンドル等）を直接圧接して回転方向に抵抗を加える構成のため、釣糸放出位置切換時での切換節度感がないと共に安定しない。
更に、圧接部が損傷し易く、長期使用の耐久性の面でも劣る等の課題が残されている。
【０００４】
【発明が解決しようとする課題】
解決しようとする問題点は、前記従来例で、ロ−タをロックする構成のものでは、ハンドル回転操作で釣糸放出状態から釣糸巻取り状態に自動復帰できない。前記他の従来例では、ハンドルに連動回転するロ−タやハンドル等の回転体を直接圧接して回転方向に抵抗を加える構成のため、釣糸放出位置切換時での切換節度感がないと共に安定しない。
更に、圧接部が損傷し易く、長期使用の耐久性の面でも劣ること等である。
【０００５】
本発明の目的は前記欠点に鑑み、非接触の磁気作用で釣糸放出状態にある切換機構の誤復帰を防止した魚釣用リ−ルを提供することである。
【０００６】
【課題を解決するための手段】
上記課題を解決するために、
請求項１に係わる本発明は、リ−ル本体に設けたスプ−ルに釣糸を巻回する釣糸巻取り状態とスプ−ルから釣糸を放出する釣糸放出状態の両状態に切り換える切換機構を備えた魚釣用リ−ルにおいて、前記切換機構で釣糸を釣糸巻取り状態から釣糸放出状態に切り換えた時に作動する作動体と該作動体と対向する部材との間に非接触の磁気作用領域を設けて前記切換機構の誤復帰を防止したことを要旨とするものである。
【０００７】
請求項２に係わる本発明は、前記作動体が、ロ−タの支持ア−ムに設けられ、ベ−ルを釣糸巻取り状態から釣糸放出状態への反転操作に連動してリ−ル本体側の磁気作用領域に移動するベ−ル作動体であることを要旨とするものである。
請求項３に係わる本発明は、前記作動体が、クラッチ機構の釣糸巻取り状態から釣糸放出状態への反転操作に連動してリ−ル本体側の磁気作用領域に移動するクラッチ機構のクラッチ作動体であることを要旨とするものである。
【０００８】
【発明の実施の形態】
請求項１の本発明により、釣糸巻取り位置から釣糸放出位置に反転操作された時、作動体５、７ｉは対向する部材のリ−ル本体やリ−ル本体側との間に非接触の磁気作用領域を設けたので、磁力を受けてハンドルの誤作動による釣糸巻取り状態への誤復帰を防止でき、釣糸放出位置切換時で切換節度感が得られると共に釣糸放出位置での保持も安定する。
【０００９】
請求項２の本発明により、ベ−ル支持部材２２が釣糸巻取り位置から釣糸放出位置に反転操作されると、ベ−ル作動体５の突出部５ｃと磁石３１が環状磁性体２１に対向する非接触の磁気作用領域にあって磁力を受け、簡単にベ−ル作動体５は移動することが制約されるので環状磁性体２１を固定したリ−ル本体１に対してロ−タ２が回転されず、ハンドルの誤作動による釣糸巻取り状態への誤復帰を防止できるので、釣糸放出位置切換時で切換節度感が得られると共に釣糸放出位置での保持も安定する。
更に、圧接部がないので、損傷する部分がなく、摩耗の心配もない。
【００１０】
請求項３の本発明により、クラッチ操作体７とクラッチ板８が釣糸巻取り位置から釣糸放出位置に反転操作されると、クラッチ操作体７に設けられたクラッチ作動体７ｉと磁石３１が環状磁性体２１に対向する非接触の磁気作用領域にあって磁力を受け、簡単にクラッチ作動体７ｉは移動することが制約されるので環状磁性体２１を固定したリ−ル本体１側の円板４６が回転されず、ハンドルの誤作動による釣糸巻取り状態への誤復帰を防止できるので、釣糸放出位置切換時で切換節度感が得られると共に釣糸放出位置での保持も安定する。
更に、圧接部がないので、損傷する部分がなく、摩耗の心配もない。
【００１１】
【実施例】
以下、図示の実施例によって本発明を説明すると、図１から図９は魚釣用リ−ルをロ−タ回転タイプの魚釣用スピニングリ−ルで述べる第１実施例で、図１は魚釣用スピニングリ−ルの一部断面側面図、図２は図１の要部拡大断面側面図、図３は釣糸巻取り状態のロ−タの平面図、図４は作動体が釣糸巻取り状態位置のリ−ル本体の正面図、図５は作動体の拡大背面図、図６は釣糸巻取り状態のロ−タの要部拡大平面図、図７は作動体が釣糸巻取り状態位置のリ−ル本体の要部拡大正面図、図８は釣糸放出状態のロ−タの平面図、図９は作動体が釣糸放出状態位置のリ−ル本体の正面図である。
【００１２】
魚釣用スピニングリ−ルは、リ−ル本体１の前部１ａ内の軸受１０で筒状の回転軸１１が軸承されている。
軸受１０から前方に突出された回転軸１１の外周に逆転防止歯車１２とカラ−１３が嵌合され、カラ−１３の前方にロ−タ２の筒部２ａが回り止め嵌合されてナット１４で固定されている。
ロ−タ２は回転軸１１に設けられた図示しないピニオンと噛合する駆動歯車１５を介してハンドル１６の回転に連動して回転されるように支持されている。
前記回転軸１１内に嵌合されて突出されたスプ−ル軸１７の先端部にスプ−ル１８が取り付けられ、スプ−ル１８はハンドル１６の回転に連動して前後に往復動される。
【００１３】
リ−ル本体１の前部１ａより後側に円盤状の鍔部１ｂが形成されて鍔部１ｂより後側のリ−ル本体１の一側に蓋体１９がビス２０で取り付けられている。
鍔部１ｂの前面には環状磁性体２１が固定されている。
リ−ル本体１の上部にはリ−ル脚１ｃが形成されていると共に、リ−ル脚１ｃに反転突起１ｄが形成されている。
【００１４】
ロ−タ２は、前記筒部２ａと前壁２ｂと大径の筒部２ｃと筒部２ｃの基部２ｄ、２ｅ外周から前方に向けて突出された一対の支持ア−ム２ｆ、２ｇで形成されている。
一方の支持ア−ム２ｆ内の軸部２ｈには一方のベ−ル支持部材２２がネジ軸２３で反転自在に支持され、一方のベ−ル支持部材２２は釣糸巻取り時図３の釣糸巻取り位置にあり、釣糸放出時図８の釣糸放出位置に反転される。
他方の支持ア−ム２ｇ内の軸部２ｉには他方のベ−ル支持部材２４がネジ軸２５で反転自在に支持され、他方のベ−ル支持部材２４は一方のベ−ル支持部材２２と同様に図示しない釣糸巻取り位置と、釣糸放出位置に反転される。
一方のベ−ル支持部材２２には釣糸案内ロ−ラ支持部２６が固定され、釣糸案内ロ−ラ支持部２６と他方のベ−ル支持部材２４の間に半環状のベ−ルア−ム２７の両端が取り付けられている。
【００１５】
一方の支持ア−ム２ｆの中には、作動杆３と回動可能な筒体４が収容されている。
作動杆３の一端３ａは屈曲されて一方のベ−ル支持部材２２の側部の孔の挿入され、作動杆３の一端側にＥリング２８が係止されている。
作動杆３の他端側の外周には発条２９が嵌合され、他端３ｂは筒体４の筒穴４ａの中に挿入されている。
筒体４は底部に突出された軸部４ｂが一方の支持ア−ム２ｆ内底部の穴に嵌合されて作動杆３と筒体４は釣糸巻取り位置と釣糸放出位置に回動される。
筒体４の後端部４ｃは一方の支持ア−ム２ｆの後端から外部に突出されている。
一方の支持ア−ム２ｆ側の基部２ｄ後面にはベ−ル作動体５がビス３０で回動自在に取り付けられている。
【００１６】
ベ−ル作動体５は平板状で略中心に透孔５ａが穿設され、上方は二股に形成されて中央に凹部５ｂが形成され、下端には一方向に偏寄した突出部５ｃが形成されている。
突出部５ｃには磁石３１が固定されている。
凹部５ｂには筒体４の後端部４ｃが挿入されている。
磁石３１は環状磁性体２１に臨まされて環状磁性体２１と磁石３１で非接触の磁気作用領域が構成されている。
【００１７】
一対の支持ア−ム２ｆ、２ｇの後側の外側は夫々カバ−３２、３３で覆われてビス３４、３５で固定されている。
一方の支持ア−ム２ｆの後側の外側を覆うカバ−３２は一方の支持ア−ム２ｆの後側に突出した筒体４の後端部４ｃとベ−ル作動体５を覆うように形成されている。
【００１８】
魚釣用スピニングリ−ルの動作は、仕掛が投擲される時ベ−ル支持部材２２が図３の釣糸巻取り位置から反転操作されて図８の釣糸放出位置にあってスプ−ル１８に巻回された図示しない釣糸が放出される。
仕掛が投擲された後ハンドル１６の回転でロ−タ２が回転されると、ベ−ル支持部材２２がリ−ル脚１ｃに形成された反転突起１ｄに衝接されて反転され、ベ−ル支持部材２２とベ−ルア−ム２７が図３の釣糸巻取り位置に起こされる。
ハンドル１６の回転でロ−タ２が回転されると、図示しない釣糸がスプ−ル１８に巻回される。
【００１９】
ベ−ル作動体５はベ−ル支持部材２２が図３、図６の釣糸巻取り位置にある時、筒体４の後端部４ｃで回動されて図４、図７のように突出部５ｃと磁石３１が環状磁性体２１から離間した非接触の磁気作用領域外に移動している。
次にベ−ル支持部材２２が反転操作されて図８の釣糸放出位置にある時は、筒体４の後端部４ｃが軸部４ｂを中心に反時計方向に回動されているから、ベ−ル作動体５は図７から図９の反時計方向に回動されて突出部５ｃと磁石３１が環状磁性体２１に対向する非接触の磁気作用領域にあって磁力を受けるので簡単にベ−ル作動体５は移動することが制約される。
【００２０】
ベ−ル作動体５の突出部５ｃと磁石３１が環状磁性体２１に対向する非接触の磁気作用領域にあって、スプ−ル１８に図示しない釣糸が巻回される方向にハンドル１６が回転されるとロ−タ２が回転され、ベ−ル支持部材２２がリ−ル脚１ｃの反転突起１ｄに衝接されて反転されると、筒体４の後端部４ｃでベ−ル作動体５が回動されて突出部５ｃと磁石３１が環状磁性体２１から離間した非接触の磁気作用領域外に移動される。
【００２１】
前記のように魚釣用スピニングリ−ルが構成されると、ベ−ル支持部材２２が釣糸巻取り位置から釣糸放出位置に反転操作されると、ベ−ル作動体５の突出部５ｃと磁石３１が環状磁性体２１に対向する非接触の磁気作用領域にあって磁力を受け、簡単にベ−ル作動体５は移動することが制約されるので環状磁性体２１を固定したリ−ル本体１に対してロ−タ２が回転されず、ハンドルの誤作動による釣糸巻取り状態への誤復帰を防止できるので、釣糸放出位置切換時で切換節度感が得られると共に釣糸放出位置での保持も安定する。
更に、圧接部がないので、損傷する部分がなく、摩耗の心配もない。
【００２２】
図１０から図１５は魚釣用リ−ルをスプ−ル回転タイプの魚釣用両軸受型リ−ルで述べる第２実施例で、図１０は魚釣用両軸受型リ−ルの一部断面平面図、図１１はハンドル側の要部拡大断面平面図、図１２は釣糸巻取り状態のハンドル側の側板内の要部拡大側面図、図１３は釣糸放出回数を検知する磁気センサ−を示す図１２の要部拡大側面図、図１４は磁気センサ−と積算回数回路と表示部のブロック図、図１５は釣糸放出状態のハンドル側の側板内の要部拡大側面図である。
【００２３】
第２実施例の魚釣用両軸受型リ−ルは、リ−ル本体Ａの側枠１′の左右両側枠１ｅ、１ｆが後側指載せ板１ｇとリ−ル脚３６の固定板１ｈで平行に一体的に保持されている。
左側枠１ｅの外側にはリ−ル本体Ａの側板３７が取り付けられている。
右側枠１ｆの外側にはリ−ル本体Ａの側板３８が取り付けられている。
左右両側枠１ｅ、１ｆ間にはスプ−ル３９が回転可能に支持され、スプ−ル３９に固定されたスプ−ル軸４０は一方の軸受４１と他方の軸受４２、４３で回転可能に支持されている。
軸受４１は左側枠１ｅの筒部１ｉ内に、軸受４２は右側枠１ｆの筒部１ｊ内に、軸受４３は側板３８に取り付けられている。
他方の軸受４３から外側に突出されたスプ−ル軸４０の一端４０ａには圧力調整ツマミ４４内の押圧板が押圧されている。
【００２４】
スプ−ル軸４０の側板３８内の小径部４０ｂ外周にはピニオン６が軸方向に移動自在に嵌合されている。
スプ−ル軸４０の太径部の右側とピニオン６には夫々係合部４０ｃと係合部６ａが形成されて係脱自在に嵌合されている。
側板３８内はギヤボックスに構成されると共に、クラッチレバ−４５の回動で軸部４５ａとクラッチ操作体７の横向き長孔の係合部７ａで前進後退されるクラッチ操作体７で操作されるクラッチ機構が収容されている。
クラッチ機構はスプ−ル軸４０の係合部４０ｃと係合・離脱されるピニオン６の係合部６ａと、クラッチ操作体７のクラッチカム７ｂと、クラッチ板８と、環状磁性体２１が固定された円板４６と爪車４７の複数個のキックピン４８と、キックレバ−９とで構成されている。
【００２５】
クラッチ操作体７は右側枠１ｆに摺動自在に設けられてクラッチ操作体７には横向き長孔の係合部７ａとクラッチカム７ｂとバネ掛け部７ｃと二股の延長片７ｄ、７ｅと屈曲係合部７ｆと一方の延長片７ｄに長孔７ｇと延長片７ｄの一側に屈曲部７ｈが形成されている。
右側枠１ｆに固定されたピン４９とバネ掛け部７ｃの間にバネ５０が張設されている。
長孔７ｇには右側枠１ｆに固定されたピン５１が嵌められ、延長片７ｄ上にキックレバ−９が重ねられてキックレバ−９に穿設された長孔９ａにピン５１が嵌められている。
キックレバ−９には切欠部９ｂとバネ掛け部９ｃが形成されてバネ掛け部９ｃにバネ５２の一端が係合され、バネ５２の他端は右側枠１ｆに固定されたピン５３に係合されている。
【００２６】
二股の延長片７ｄとキックレバ−９の他側の右側枠１ｆに係止ピン５４が固定されている。
二股の延長片７ｅの先端内側はクラッチ作動体７ｉに形成されてクラッチ作動体７ｉに磁石３１が固定されている。
釣糸巻取り状態の図１２で磁石３１の位置の右側枠１ｆにリ−ドスイッチからなる磁気センサ５５が固定されている。
磁気センサ５５の出力は回数積算回路５６を介して表示部５７で表示される。表示部５７はスプ−ル３９の上方の左右両側枠１ｅ、１ｆ間に設けられた表示器５８内に設けられている。
【００２７】
クラッチ板８は両端が右側枠１ｆに固定された支柱５９、５９に嵌められ、図示しない発条で前記スプ−ル軸４０の係合部４０ｃとピニオン６の係合部６ａが係合される方向に付勢されている。
クラッチ板８にはピニオン６の溝６ｂに嵌まる円弧上の凹部８ａが形成されている。
【００２８】
ピニオン６にハンドル軸６０に摩擦結合された駆動歯車６１が噛合されてスプ−ル３９は駆動歯車６１を介してハンドル軸６０に取り付けられたハンドル６２で回転される。
駆動歯車６１はドラグ制動部材の摩擦板と制動板を介してハンドル軸６０で回転可能に構成され、側板３８から突出されたハンドル軸６０にハンドル６２が回り止め嵌合されてナット６３で抜け止めされている。
ハンドル軸６０の一端は右側枠１ｆの穴１ｋに嵌合された軸受６４に軸承されて抜け止め板６５で抜け止めされ、他端は側板３８に取り付けられた軸受６６で回転自在に支持されて軸受６６の外側のハンドル軸６０にはドラグ調整ツマミ６７が螺合されている。
【００２９】
ハンドル軸６０の一端側には環状磁性体２１が固定された円板４６と爪車４７が回り止め嵌合されて摩擦板が圧接され、爪車４７には複数個のキックピン４８が固定されている。
爪車４７の外側にはバネ板６８、６８で挟まれた逆転防止爪６９が軸７０で回動自在に軸承され、バネ板６８、６８は爪車４７の両側面を挟み込み、逆転防止爪６９の先端は爪車４７の外周に形成された係止歯に係合自在に臨まされている。
逆転防止爪６９の外側には逆転防止爪６９の回動を度当りするピン７１が設けられている。
【００３０】
魚釣用両軸受型リ−ルのクラッチ機構の動作は、スプ−ル軸４０の係合部４０ｃとピニオン６の係合部６ａが係合されたクラッチオン状態でハンドル６２が回転されると、駆動歯車６１でピニオン６が回転されてスプ−ル３９に釣糸が巻き取られる。
この時駆動歯車６１と摩擦板を介して爪車４７が図１２で時計方向に回転されると、爪車４７とバネ板６８、６８の摩擦でバネ板６８、６８と逆転係止爪６９は反時計方向に回動されて逆転係止爪６９の先端は爪車４７の係止歯から離間され、爪車４７が駆動歯車６１と一体に回転される。
次にスプ−ル３９が釣糸の繰出しで逆回転されると、駆動歯車６１と爪車４７は反時計方向に回転され、バネ板６８、６８と逆転係止爪６９は時計方向に回動されて逆転係止爪６９の先端は爪車４７の係止歯に係止される。
【００３１】
次にクラッチレバ−４５が図１２で下方の反時計方向に回動されると、軸部４５ａが横向き長孔の係合部７ａでクラッチ操作体７が右下方向に摺動されて図１５の釣糸放出状態となる。
この摺動でクラッチ板８がクラッチカム７ｂで上昇されてピニオン６の係合部６ａとスプ−ル軸４０の係合部４０ｃの係合が離脱されてクラッチオフ状態となり、スプ−ル３９はフリ−回転状態となる。
前記のようにクラッチ操作体７が摺動された時、延長片７ｃも右下方向に摺動されるので、係止ピン５４と屈曲部７ｈで回動が係止されていたキックレバ−９がバネ５０で反時計方向に回動され、キックレバ−９の切欠部９ｂはキックピン４８に当接可能位置に臨まされる。
【００３２】
クラッチオフの釣糸放出状態ではクラッチ操作体７の延長片７ｅの先端内側のクラッチ作動体７ｉと磁石３１が環状磁性体２１に対向する非接触の磁気作用領域に移動されるので、クラッチ作動体７ｉは非接触の磁気作用領域にあって磁力を受ける。
クラッチオンの釣糸巻取り状態ではクラッチ操作体７の延長片７ｅの先端内側のクラッチ作動体７ｉと磁石３１が上方に後退して環状磁性体２１に対向する非接触の磁気作用領域外に移動されるので、磁力を受けない。
クラッチ作動体７ｉと磁石３１が釣糸巻取り状態と釣糸放出状態で移動するので、この移動をリ−ドスイッチからなる磁気センサ５５で検知すると、釣糸放出状態にした時の回数を表示部５７で表示かることが出来る。
【００３３】
次にハンドル６２が回転されると、爪車４７と駆動歯車６１が時計方向に回転され、キックピン４８がキックレバ−９の切欠部９ｂに当接されてキックレバ−９が左方向に押し戻され、キックレバ−９の左端がクラッチ操作体７の屈曲係合部７ｆを押し上げてクラッチ操作体７が後退され、クラッチカム７ｂとクラッチ板８の係合が解除されてピニオン６の係合部７ａとスプ−ル軸４０の係合部４ａが係合されてクラッチオン状態となる。
クラッチオン状態でハンドル６２が回転されると、ピニオン６とスプ−ル軸４０が回転されてスプ−ル３９が回転され、スプ−ル３９に釣糸が巻き取られる。
【００３４】
前記のように魚釣用両軸受型リ−ルが構成されると、クラッチ操作体７とクラッチ板８が釣糸巻取り位置から釣糸放出位置に反転操作されると、クラッチ操作体７に設けられたクラッチ作動体７ｉと磁石３１が環状磁性体２１に対向する非接触の磁気作用領域にあって磁力を受け、簡単にクラッチ作動体７ｉは移動することが制約されるので環状磁性体２１を固定したリ−ル本体１側の円板４６が回転されず、ハンドルの誤作動による釣糸巻取り状態への誤復帰を防止できるので、釣糸放出位置切換時で切換節度感が得られると共に釣糸放出位置での保持も安定する。
更に、圧接部がないので、損傷する部分がなく、摩耗の心配もない。
尚、磁石３１及び環状磁性体２１の表面には、塗膜で防食層が形成されて、耐食処理が施されている。
【００３５】
【発明の効果】
本発明は、以上説明したような形態で実施され、以下に記載されるような効果を奏する。
【００３６】
請求項１により、釣糸巻取り位置から釣糸放出位置に反転操作された時、作動体は対向する部材のリ−ル本体やリ−ル本体側との間に非接触の磁気作用領域を設けたので、磁力を受けてハンドルの誤作動による釣糸巻取り状態への誤復帰を防止でき、釣糸放出位置切換時で切換節度感が得られると共に釣糸放出位置での保持も安定する。
請求項２により、ベ−ル支持部材が釣糸巻取り位置から釣糸放出位置に反転操作されると、ベ−ル作動体の突出部と磁石が環状磁性体に対向する非接触の磁気作用領域にあって磁力を受け、簡単にベ−ル作動体は移動することが制約されるので環状磁性体を固定したリ−ル本体に対してロ−タが回転されず、ハンドルの誤作動による釣糸巻取り状態への誤復帰を防止できるので、釣糸放出位置切換時で切換節度感が得られると共に釣糸放出位置での保持も安定する。
更に、圧接部がないので、損傷する部分がなく、摩耗の心配もない。
【００３７】
請求項３により、クラッチ操作体とクラッチ板が釣糸巻取り位置から釣糸放出位置に反転操作されると、クラッチ操作体に設けられたクラッチ作動体と磁石が環状磁性体に対向する非接触の磁気作用領域にあって磁力を受け、簡単にクラッチ作動体は移動することが制約されるので環状磁性体を固定したリ−ル本体側の円板が回転されず、ハンドルの誤作動による釣糸巻取り状態への誤復帰を防止できるので、釣糸放出位置切換時で切換節度感が得られると共に釣糸放出位置での保持も安定する。
更に、圧接部がないので、損傷する部分がなく、摩耗の心配もない。
【図面の簡単な説明】
【図１】魚釣用リ−ルをロ−タ回転タイプの魚釣用スピニングリ−ルで述べる第１実施例で、魚釣用スピニングリ−ルの一部断面側面図である。
【図２】同図１の要部拡大断面側面図である。
【図３】同釣糸巻取り状態のロ−タの平面図である。
【図４】同作動体が釣糸巻取り状態位置のリ−ル本体の正面図である。
【図５】同作動体の拡大背面図である。
【図６】同釣糸巻取り状態のロ−タの要部拡大平面図である。
【図７】同作動体が釣糸巻取り状態位置のリ−ル本体の要部拡大正面図である。
【図８】同釣糸放出状態のロ−タの平面図である。
【図９】同作動体が釣糸放出状態位置のリ−ル本体の正面図である。
【図１０】魚釣用リ−ルをスプ−ル回転タイプの魚釣用両軸受型リ−ルで述べる第２実施例で、魚釣用両軸受型リ−ルの一部断面平面図である。
【図１１】同ハンドル側の要部拡大断面平面図である。
【図１２】同釣糸巻取り状態のハンドル側の側板内の要部拡大側面図である。
【図１３】同釣糸放出回数を検知する磁気センサ−を示す図１２の要部拡大側面図である。
【図１４】同磁気センサ−と積算回数回路と表示部のブロック図である。
【図１５】同釣糸放出状態のハンドル側の側板内の要部拡大側面図である。
【符号の説明】
１、Ａ　リ−ル本体
２　ロ−タ
５　ベ−ル作動体
７ｉ　クラッチ作動体
【図１】
2004016177.tif 000003
【図２】
2004016177.tif 000004
【図３】
2004016177.tif 000005
【図４】
2004016177.tif 000006
【図５】
2004016177.tif 000007
【図６】
2004016177.tif 000008
【図７】
2004016177.tif 000009
【図８】
2004016177.tif 000010
【図９】
2004016177.tif 000011
【図１０】
2004016177.tif 000012
【図１１】
2004016177.tif 000013
【図１２】
2004016177.tif 000014
【図１３】
2004016177.tif 000015
【図１４】
2004016177.tif 000016
【図１５】
2004016177.tif 000017